(57)【要約】【課題】利用者に各種の情報を良好に提供しつつ、電力の消費を抑制して電子機器の駆動時間を改善することができる表示装置及びその制御方法、制御プログラム、並びに、電子機器を提供する。【解決手段】電子機器１０は、処理能力の異なる２つの演算回路部１００、２００が個別のインターフェースＩ／Ｆ（Ａ）、Ｉ／Ｆ（Ｂ）を介してドライバ回路４２０に接続されている。ドライバ回路４２０は、演算回路部１００、２００から個別に書き込まれる画像データを順次上書きするように構成されている。そして、演算回路部１００により生成された画像データに基づいて、表示パネル４１０に所定の画像が表示される。また、演算回路部２００により生成された画像データに基づいて、表示パネル４１０の表示領域のうちの特定領域４１６に、継続して更新や変化を伴う特定画像が表示されるとともに、この期間中は、演算回路部１００が省電力状態に設定される。【選択図】図２
2020101834.tif 000002
【特許請求の範囲】
【請求項１】
表示部と、
前記表示部と第１のインターフェースによって前記表示部に表示される表示内容に係るデータを送信する第１の演算処理部と、
前記表示部と第２のインターフェースによって前記表示部に表示される表示内容に係るデータを送信する第２の演算処理部と、を備え、
前記第１の演算処理部は、前記第１のインターフェースによって前記表示部に表示される表示内容に係るデータを送信する動作状態において、前記表示部に表示される表示内容が切り替わる際に、切り替わり後の画像の内容に基づいて前記第２の演算処理部に所定の第１通知信号を送信するかどうかを判断し、且つ前記第１の通知信号を前記第２の演算処理部へ送信すると判断した場合は、前記第１の通知信号を前記第２の演算処理部へ送信し、
前記第１の演算処理部が前記第１通知信号を送信した場合、前記第２の演算処理部は、前記第１通知信号を受信し、前記第２のインターフェースによって前記表示部に表示される表示内容に係るデータを送信する動作状態へ遷移する、ことを特徴とする表示装置。
【請求項２】
前記第１の演算処理部は、前記第１のインターフェースによって前記表示部に表示される表示内容に係るデータを送信する動作状態において、前記表示部に表示される表示内容が切り替わる際に、切り替わり後の画像の表示内容が切り替わり前の画像の表示内容と比べて、更新される画像の表示領域が狭い表示内容である場合は、前記第２の演算処理部に前記所定の第１通知信号を送信すると判断する
ことを特徴とする請求項１に記載の表示装置。
【請求項３】
前記第１の演算処理部は、前記第１のインターフェースによって前記表示部に表示される表示内容に係るデータを送信する動作状態において、前記表示部に表示される表示内容が切り替わる際に、切り替わり後の画像の表示内容が切り替わり前の画像の表示内容と比べて、経時的な変化量が小さい表示内容である場合は、前記第２の演算処理部に前記所定の第１通知信号を送信すると判断する
ことを特徴とする請求項１に記載の表示装置。
【請求項４】
前記第１の演算処理部は、前記第１のインターフェースによって前記表示部に表示される表示内容に係るデータを送信する動作状態において、前記表示部に表示される表示内容が切り替わる際に、切り替わり後の画像の画像データ量が切り替わり前の画像の画像データ量と比べて小さい場合は、前記第２の演算処理部に前記所定の第１通知信号を送信すると判断する
ことを特徴とする請求項１に記載の表示装置。
【請求項５】
前記第１の演算処理部は、前記第１通知信号の送信後に、前記第１のインターフェースによって前記表示部に表示される表示内容に係るデータを送信しない動作状態へ遷移する、
ことを特徴とする請求項１乃至４の何れかに記載の表示装置。
【請求項６】
前記第２の演算処理部は、前記第２のインターフェースによって前記表示部に表示される表示内容に係るデータを送信する動作状態において、前記表示部に表示される表示内容に応じて前記第１の演算処理部に所定の第２通知信号を送信し、
前記第１の演算処理部は、前記第２通知信号を受信後に、前記第１のインターフェースによって前記表示部に表示される表示内容に係るデータを送信する動作状態へ遷移する、
ことを特徴とする請求項５に記載の表示装置。
【請求項７】
前記表示部に表示される前記表示内容には時、分、及び秒に係る時刻表示が含まれ、
前記第２の演算処理部は、前記第２のインターフェースによって前記表示部に表示される表示内容に係るデータを送信する動作状態において、前記表示部に表示される前記表示内容における前記秒に係る時刻表示の内容に応じて前記第１の演算処理部に所定の第２通知信号を送信する、
ことを特徴とする請求項６に記載の表示装置。
【請求項８】
前記第２の演算処理部は、前記第２通知信号の送信後に、前記第２のインターフェースによって前記表示部に表示される表示内容に係るデータを送信しない動作状態へ遷移する、
ことを特徴とする請求項６又は７に記載の表示装置。
【請求項９】
前記第１の演算処理部及び前記第２の演算処理部は外部機器と通信可能とする通信インターフェースを夫々有しており、
前記第1の演算処理部が有する通信インターフェースは、前記第２の演算処理部が有する通信インターフェースよりも高速でデータ通信することができる
ことを特徴とする請求項１〜８のいずれか一項に記載の表示装置。
【請求項１０】
前記第１のインターフェースはパラレルインターフェースであり、
前記第２のインターフェースはシリアルインターフェースである、
ことを特徴とする請求項１〜９のいずれか一項に記載の表示装置。
【請求項１１】
前記第１の演算処理部は、前記第１の通知信号を前記第２の演算処理部へ送信しないと判断した場合は、前記第１の通知信号を前記第２の演算処理部へ送信せず、前記表示部に表示される前記切り替わり後の画像の内容に係るデータを送信する
ことを特徴とする請求項１〜１０のいずれか一項に記載の表示装置。
【請求項１２】
表示部と、前記表示部と第１のインターフェースによって前記表示部に表示される表示内容に係るデータを送信する第１の演算処理部と、前記表示部と第２のインターフェースによって前記表示部に表示される表示内容に係るデータを送信する第２の演算処理部と、を備えた表示装置の表示制御方法であって、
前記第１の演算処理部が、前記第１のインターフェースによって前記表示部に表示される表示内容に係るデータを送信する動作状態において、前記表示部に表示される表示内容が切り替わる際に、切り替わり後の画像の内容に基づいて前記第２の演算処理部に所定の第１通知信号を送信するかどうか判断し、且つ前記第１の通知信号を前記第２の演算処理部へ送信すると判断した場合は、前記第１の通知信号を前記第２の演算処理部へ送信するステップ、
前記第１の演算処理部が前記第１通知信号を送信した場合、前記第２の演算処理部が、前記第１通知信号を受信し、前記第２のインターフェースによって前記表示部に表示される表示内容に係るデータを送信する動作状態へ遷移ステップ、
を含むことを特徴とする表示制御方法。
【請求項１３】
前記表示部と第１のインターフェースによって前記表示部に表示される表示内容に係るデータを送信する第１の演算処理部と、前記表示部と第２のインターフェースによって前記表示部に表示される表示内容に係るデータを送信する第２の演算処理部と、
を備えた表示装置の前記第１の演算処理部を、
前記第１のインターフェースによって前記表示部に表示される表示内容に係るデータを送信する動作状態において、前記表示部に表示される表示内容が切り替わる際に、切り替わり後の画像の内容に基づいて前記第２の演算処理部に所定の第１通知信号を送信するかどうかを判断し、且つ前記第１の通知信号を前記第２の演算処理部へ送信すると判断した場合は、前記第１の通知信号を前記第２の演算処理部へ送信する手段、として機能させ、
前記表示装置の前記第２の演算処理部を、
前記第１の演算処理部が前記第１通知信号を送信した場合、前記第１通知信号を受信し、前記第２のインターフェースによって前記表示部に表示される表示内容に係るデータを送信する動作状態へ遷移させる、
ことを特徴とするプログラム。
【発明の詳細な説明】
【技術分野】
【０００１】
本発明は、各種の情報を表示する表示装置に関し、特に、利用者が装着又は携帯する電子機器に備えられる表示装置及びその表示制御方法、制御プログラムに関する。
【背景技術】
【０００２】
近年、人体に装着して、ランニングやサイクリング、スイミング、トレッキング等の運動時や、日常生活における各種のデータを記録して分析するための様々な製品が開発され、市販されている。また、携帯電話機やスマートフォン（高機能型携帯電話機）、タブレット端末等の携帯型の電子機器も広く普及している。このような機器の大半は、利用者に各種の情報を提供するための表示装置を備えている。
【０００３】
例えば特許文献１や特許文献２には、利用者の身体に装着し、運動時に収集したり、分析したりした各種のデータを、表示装置に表示して利用者に提供する機能を備えた、いわゆるスポーツウォッチが開示されている。
【先行技術文献】
【特許文献】
【０００４】
【特許文献１】特開２０１３−１４３９９６号公報
【特許文献２】特開２０１３−１４０１５８号公報
【発明の概要】
【発明が解決しようとする課題】
【０００５】
上述したスポーツウォッチやスマートフォンをはじめ、近年の装着型や携帯型の電子機器においては、例えば加速度センサやジャイロセンサ（角速度センサ）、ＧＰＳ（Global Positioning System；全地球測位システム）による測位センサ等のセンサ類や、各種のデータ通信機能等を備えている。これらのセンサ類や通信機能は、電子機器の携帯時や使用時には、常時動作を行うように設定され、また、それらにより取得された各種の情報が、表示装置を介して利用者に様々な表示形態で随時提供される。これにより、利用者は自己の運動状態や移動経路等を、容易に把握することができる。
【０００６】
しかしながら、このような電子機器において、表示装置に最新情報等を頻繁に表示したり、滑らかな動画やアニメーション等を表示したりする場合、一般に、表示装置を駆動制御する演算処理回路（プロセッサ）における処理負担が増大する。
【０００７】
そこで、本発明は、上述した問題点に鑑みて、利用者に各種の情報を良好に提供することができる表示装置及びその表示制御方法、制御プログラムを提供することを目的とする。
【０００８】
本発明の一態様は、
表示部と、
前記表示部と第１のインターフェースによって前記表示部に表示される表示内容に係るデータを送信する第１の演算処理部と、
前記表示部と第２のインターフェースによって前記表示部に表示される表示内容に係るデータを送信する第２の演算処理部と、を備え、
前記第１の演算処理部は、前記第１のインターフェースによって前記表示部に表示される表示内容に係るデータを送信する動作状態において、前記表示部に表示される表示内容が切り替わる際に、切り替わり後の画像の内容に基づいて前記第２の演算処理部に所定の第１通知信号を送信するかどうかを判断し、且つ前記第１の通知信号を前記第２の演算処理部へ送信すると判断した場合は、前記第１の通知信号を前記第２の演算処理部へ送信し、
前記第１の演算処理部が前記第１通知信号を送信した場合、前記第２の演算処理部は、前記第１通知信号を受信し、前記第２のインターフェースによって前記表示部に表示される表示内容に係るデータを送信する動作状態へ遷移する、ことを特徴とする表示装置である。
【０００９】
本発明によれば、利用者に各種の情報を良好に提供することができる。
【図面の簡単な説明】
【００１０】
【図１】本発明に係る表示装置を備えた電子機器の具体例を示す概略斜視図である。
【図２】本発明に係る表示装置を備えた電子機器の第１の実施形態を示す概略ブロック図である。
【図３】第１の実施形態に係る表示装置の制御方法の一例を示すタイミングチャート、及び、各タイミングにおける表示パネルの画面表示の例を示す図である。
【図４】第１の実施形態に係る表示装置における表示パネルの画面表示の他の例を示す図である。
【図５】第１の実施形態の作用効果を説明するための比較例を示す概略ブロック図である。
【図６】比較例における制御方法を示すタイミングチャート、及び、画面表示の例を示す図である。
【図７】本発明に係る表示装置を備えた電子機器の第２の実施形態を示す概略ブロック図である。
【図８】第２の実施形態に係る表示装置における画面表示の例を示す図である。
【発明を実施するための形態】
【００１１】
以下に、本発明に係る表示装置及びその表示制御方法、制御プログラムについて、表示装置を備えた電子機器の実施形態を示して詳しく説明する。
＜第１の実施形態＞
（表示装置、電子機器）
図１は、本発明に係る表示装置を備えた電子機器の具体例を示す概略斜視図である。また、図２は、本発明に係る表示装置を備えた電子機器の第１の実施形態を示す概略ブロック図である。
【００１２】
本発明に係る表示装置を備えた電子機器１０は、例えば図１（ａ）〜（ｃ）に示すように、少なくとも各種の情報を表示するための表示パネル４０を備えた構成を有している。ここで、電子機器１０は、例えば図１（ａ）に示すように、腕時計型やリストバンド型の外観を有し、ユーザ（利用者）の身体に装着されるスポーツウォッチやスマートウォッチであってもよい。また、電子機器１０は、例えば図１（ｂ）に示すようなスマートフォンや携帯電話機であってもよいし、図１（ｃ）に示すようなアウトドアで使用する各種の携帯機器（例えばＧＰＳロガー）であってもよい。なお、図１（ａ）〜（ｃ）において、２０はボタンスイッチ等の入力操作部であり、３０はスピーカやブザー等の出力部である。
【００１３】
本実施形態に係る電子機器１０は、具体的には、例えば図２に示すように、２組の演算回路部（第１の演算処理回路）１００と演算回路部（第２の演算処理回路）２００とを有している。演算回路部１００には、少なくとも入力操作部（検出部）１２０と、メモリ部１４０と、光源部３００と、表示部４００とが接続されている。また、演算回路部２００には、少なくともセンサ部（検出部）２１０と、入力操作部（検出部）２２０と、出力部２３０と、メモリ部２４０と、表示部４００とが接続されている。
【００１４】
演算回路部１００は、ＣＰＵ（中央演算処理装置）やＭＰＵ（マイクロプロセッサ）等の演算装置であって、所定の制御プログラムやアルゴリズムプログラムを実行することにより、入力操作部１２０における操作信号に応じた制御や、後述する表示部４００における各種の情報の表示等を制御する。また、演算回路部１００は、例えばＭＩＰＩ（Mobile Industry Processor Interface）等のシリアルインターフェースや、各種のパラレルインターフェース等の、データ転送速度が比較的速い規格に対応したインターフェースを介して表示部４００に接続され、演算回路部１００において生成した画像データを含む所定の信号を表示部４００に送受信することにより、表示部４００に所定の画像を表示する。また、演算回路部１００は、連携通信部１５０を備え、後述する演算回路部２００との間で所定の連携信号を送受信することにより、演算回路部２００と連携かつ同期して、少なくとも表示部４００の表示状態を制御する。連携通信部１５０は、例えばＵＡＲＴ（Universal Asynchronous Receiver Transmitter）やＩ<SUP>２</SUP>Ｃ（Inter-Integrated Circuit）等の同期シリアル通信規格の接続ポートを有し、後述する連携通信部２５０に接続することにより、少なくとも表示部４００における表示状態を制御するための所定の連携信号を送受信する。
【００１５】
ここで、本実施形態に適用される演算回路部１００は、少なくとも、表示部４００における高機能な表示を制御することができる程度の処理能力を有している。ここで、本実施形態において、高機能な表示とは、例えば、高精細なカラー画像や、滑らかな動画やアニメーション表示、トランジションエフェクト等の視覚効果等の、画像データの容量が大きい画像や、画面表示の更新回数（更新頻度）や変化（動き）が多い画像の表示をいう。すなわち、演算回路部１００は、比較的処理能力が高い演算回路が適用される。このような演算回路は、一般に高い動作周波数で各種の処理動作を実行するため消費電力が大きなものとなる。これは換言すると、演算回路部１００として、比較的処理能力が高く、かつ、消費電力の高い演算回路（ハイパワー、ハイパフォーマンスのプロセッサ）を適用する必要があることを意味する。本実施形態においては、演算回路部１００として、例えば３０ｆｐｓや６０ｆｐｓの比較的高いフレームレートでの画像の書き込みを実現するため、例えば数百ＭＨｚ〜１ＧＨｚ程度の、比較的高い動作周波数を有するものを適用する。ここで、演算回路部１００において実行される制御プログラムやアルゴリズムプログラムは、メモリ部１４０に保存されているものであってもよいし、演算回路部１００の内部に予め組み込まれているものであってもよい。
【００１６】
入力操作部１２０は、後述する表示部４００に設けられる表示パネル（図１（ａ）〜（ｃ）に示した表示パネル４０に相当する）の視野側に配置されたタッチパネル等の入力手段であり、ユーザの入力操作に起因する各種の操作信号を演算回路部１００に出力する。これにより、演算回路部１００において、表示部４００に表示する項目や情報の選択や設定等が行われる。
【００１７】
メモリ部１４０は、演算回路部１００において所定の制御プログラムやアルゴリズムプログラムを実行する際に使用するデータやその際に生成されるデータ、表示部４００に表示するためのデータ等を保存する。また、メモリ部１４０は、演算回路部１００において実行される制御プログラムやアルゴリズムプログラムが保存されるものであってもよい。なお、メモリ部１４０は、その一部又は全部が、例えばメモリカード等のリムーバブル記憶媒体としての形態を有し、電子機器１０に対して着脱可能に構成されているものであってもよい。
【００１８】
演算回路部２００は、上述した演算回路部１００と同様に、ＣＰＵやＭＰＵ等の演算装置であって、所定の制御プログラムやアルゴリズムプログラムを実行することにより、センサ部２１０におけるセンシング動作や、入力操作部２２０における操作信号に応じた処理動作、出力部２３０における各種の情報の提供、後述する表示部４００における各種の情報の表示等を制御する。また、演算回路部２００は、例えばＳＰＩ（Serial Peripheral Interface）等のデータ伝送速度が比較的遅い規格に対応したインターフェースを介して表示部４００に接続され、演算回路部２００において生成した画像データを含む所定の信号を表示部４００に送受信することにより、表示部４００に所定の画像を表示する。また、演算回路部２００は、上述した演算回路部１００に設けられた連携通信部１５０と同等の構成を有する連携通信部２５０を備え、上述した演算回路部１００との間で所定の連携信号を送受信することにより、演算回路部１００と連携かつ同期して、少なくとも表示部４００における表示状態を制御する。
【００１９】
ここで、本実施形態に適用される演算回路部２００は、周期的にセンシング動作を行うセンサ部２１０等を制御することができる程度の処理能力を有していればよい。すなわち、演算回路部２００は、比較的処理能力が低い演算回路を適用することができる。このような演算回路は、一般に低い動作周波数で処理動作を実行すればよいため消費電力を低く抑えることができる。これは換言すると、演算回路部２００として、常時動作を継続する時計等の用途のために電子機器１０に既に備えられた、比較的処理能力が低く、かつ、消費電力の低い演算回路（ローパワー、ローパフォーマンスのプロセッサ）を適用することができることを意味する。本実施形態においては、演算回路部２００として、例えばセンサ部２１０における良好なセンシング動作を実現するため、例えば数ＭＨｚ〜数十ＭＨｚ程度の、比較的低い動作周波数を有するものを適用する。すなわち、演算回路部２００は、演算回路部１００よりも動作周波数が低いものが適用され、これにより、演算回路部２００と演算回路部１００を同一条件で動作させた場合の、演算回路部２００の消費電力が低くなる。ここで、演算回路部２００において実行される制御プログラムやアルゴリズムプログラムは、メモリ部２４０に保存されているものであってもよいし、演算回路部２００の内部に予め組み込まれているものであってもよい。
【００２０】
センサ部２１０は、例えば、加速度センサやジャイロセンサ、地磁気センサ、気圧センサ、温湿度センサ、脈拍センサ、心拍センサ等のセンサ手段や、ＧＰＳ受信部を備えた測位手段であり、ユーザの運動中や日常生活における物理的、生体的、地理的な各種のデータ（以下、「センサデータ」と総称する）を取得して演算回路部２００に出力する。ここで、加速度センサやジャイロセンサ、地磁気センサ等のセンサ類は、ユーザの運動中、例えば毎秒１００回以上の周期（１００Ｈｚ以上のサンプリング周波数）でセンシング動作を実行してセンサデータを演算回路部２００に出力する。また、ＧＰＳによる測位手段は、例えば１〜数秒に１回程度の周期でセンシング動作を実行して測位データを演算回路部２００に出力する。
【００２１】
入力操作部２２０は、例えば電子機器１０の筐体に設けられたボタンスイッチやスライドスイッチ、マイク等の入力手段（図１（ａ）〜（ｃ）に示した入力操作部２０に相当する）であり、ユーザの入力操作に起因する各種の操作信号を演算回路部２００に出力する。これにより、演算回路部２００において、上述したセンサ部２１０におけるセンシング動作の設定や制御、表示部４００に表示する項目や情報の選択や設定等が行われる。
【００２２】
出力部２３０は、ブザーやスピーカ等の音響手段や、振動モータや振動子等の振動手段であり、所定の音色や音パターン、音声メッセージ等の音情報、あるいは、所定の振動パターンやその強弱等の振動情報を発生することにより、聴覚や触覚を通してユーザに各種の情報を提供又は報知する。ここで、出力部２３０は、後述する表示部４００に表示される各種の情報等に連動して、所定の音情報や振動情報を発生させるものであってもよい。
【００２３】
メモリ部２４０は、センサ部２１０により取得したセンサデータ等を所定の記憶領域に保存する。また、メモリ部２４０は、演算回路部２００において所定の制御プログラムやアルゴリズムプログラムを実行する際に使用するデータやその際に生成されるデータ等を保存する。また、メモリ部２４０は、演算回路部２００において実行される制御プログラムやアルゴリズムプログラムが保存されるものであってもよい。なお、メモリ部２４０は、上述した演算回路部１００に接続されたメモリ部１４０と一体的に構成されているものであってもよい。
【００２４】
光源部３００は、図示を省略するが、バックライトと、バックライト駆動回路とを備え、後述する表示部４００における表示状態や入力操作部１２０、２２０におけるユーザの入力操作に応じて、バックライトの発光状態を制御する。バックライトは透過型の表示パネルの背面側（ユーザの視野側とは反対側）に配置され、例えば、複数のＬＥＤ（発光素子）と、導光板や光拡散フィルム等の各種の光学部材とを用いた面光源が適用される。バックライト駆動回路は、演算回路部１００から出力される制御信号に基づいて、バックライトの点灯（ＯＮ）、消灯（ＯＦＦ）状態及び発光輝度を制御する。なお、バックライト駆動回路は、演算回路部１００からの制御信号のほかに、演算回路部１００と連携して動作する演算回路部２００からの制御信号に基づいて、バックライトの発光状態を制御するものであってもよい。
【００２５】
表示部４００は、図２に示すように、透過型の表示パネル（第１の表示パネル）４１０と、フレームメモリを内蔵したドライバ回路（図中では、「ドライバＩＣ」と表記）４２０とを備えている。表示パネル４１０は、例えば透過型のＴＦＴ（Thin Film Transistor）カラー液晶パネルを適用することができ、演算回路部１００及び演算回路部２００において生成される各種の情報を所定の形態で表示する。ここで、本実施形態においては、表示パネル４１０は、ドライバ回路４２０により高機能な表示が実現されるように制御される。また、ドライバ回路４２０は、演算回路部１００及び演算回路部２００の各々から、個別の信号線を介して画像データを含む所定の信号を受信するための複数のインターフェースを有している。具体的には、ドライバ回路４２０は、例えばＭＩＰＩ等のシリアルインターフェースやパラレルインターフェース（図中、「Ｉ／Ｆ（Ａ）」と表記）を介して演算回路部１００に接続され、また、例えばＳＰＩ等のシリアルインターフェース（図中、「Ｉ／Ｆ（Ｂ）」と表記）を介して演算回路部２００に接続される。特に、本実施形態においては、ドライバ回路４２０は、上記の個別のインターフェースを介して送信された画像データ等が、内蔵するフレームメモリに順次上書き保存される。すなわち、演算回路部１００及び演算回路部２００のいずれか一方からの画像データがフレームメモリに書き込まれている状態で、他方から画像データが書き込まれると、後者の画像データが有効になるように上書き保存される。ここで、画像データの書き込み時にアドレスを指定することにより、フレームメモリに既に書き込まれている画像データのうち、対応するアドレスの画像データのみが上書きされる。なお、演算回路部１００及び演算回路部２００の各々から、ドライバ回路４２０に画像データを送信するタイミングは、演算回路部１００と演算回路部２００との間で連携信号を送受信して相互に連携かつ同期することにより制御される。
【００２６】
これにより、本実施形態においては、透過型のカラー表示パネルの特性に基づいて、表示パネル４１０に演算回路部１００により生成された画像データに基づく所定のカラー画像や動画等を表示した状態で、背面側に設けられたバックライトを点灯することにより、高輝度なカラー画像等が投影されてユーザにより視認される。そして、表示パネル４１０に表示される画像のデータ容量が少ない（小さい）場合や、画面表示の更新回数（更新頻度）や変化（動き）の少ない状態では、当該表示状態に応じて演算回路部１００及び演算回路部２００が連携かつ同期して、演算回路部２００により生成された画像データに基づく特定の画像（特定画像）が、アドレスを指定した特定の表示領域（特定領域）に表示される。なお、表示部４００における画像の表示方法については、詳しく後述する。
【００２７】
そして、上述した各構成は、図２に示すように、電源部５００から供給される駆動電力によりそれぞれの機能を実現する。ここで、電源部５００は、携帯型の電子機器１０においては、例えば市販のコイン型電池やボタン型電池等の一次電池、リチウムイオン電池やニッケル水素電池等の二次電池が適用される。また、電源部５００は、上記の一次電池や二次電池のほか、振動や光、熱、電磁波等のエネルギーにより発電する環境発電（エナジーハーベスト）技術による電源等を単独で、あるいは、併用して適用するものであってもよい。
【００２８】
なお、本実施形態においては、図２に示したように、演算回路部１００と演算回路部２００とを、別個の構成として図示したが、本発明はこの構成に限定されるものではない。演算回路部１００と演算回路部２００とは、例えば、システムオンチップ（System-on-a-chip；ＳＯＣ）の形態で、単一の半導体上に搭載されて一体化されたものであってもよい。この場合においても、それぞれの演算回路部１００、２００と表示部４００とを接続して所定の信号を送受信するためのインターフェースＩ／Ｆ（Ａ）、Ｉ／Ｆ（Ｂ）が個別に設けられる。
【００２９】
また、上述した実施形態（図２）においては図示を省略したが、演算回路部１００や演算回路部２００には、電子機器１０の外部に設けられた機器（以下、「外部機器」と記す）との間で、有線や無線を用いた所定の通信方式により、各種のデータや信号を送受信する通信インターフェース部（以下、「通信Ｉ／Ｆ部」と略記する）を備えるものであってもよい。ここで、（ハイパワー、ハイパフォーマンスの）演算回路部１００に通信Ｉ／Ｆ部を設け、無線通信により外部機器（例えばスマートフォンやパーソナルコンピュータ等の高機能の情報処理装置）との間でデータ等を送受信する場合には、ブルートゥース（Bluetooth（登録商標））通信やワイファイ（Wi-Fi；wireless fidelity（登録商標））通信等の、比較的容量の大きいデータを高速で送受信することができる無線通信方式が適用される。一方、（ローパワー、ローパフォーマンスの）演算回路部２００に通信Ｉ／Ｆ部を設け、無線通信により外部機器（例えば身体の他の部位に装着したセンサ機器）との間でデータ等を送受信する場合には、例えばブルートゥースローエナジー（Bluetooth（登録商標） low energy（LE））通信等の、低消費電力の無線通信方式が適用される。
【００３０】
（表示装置の制御方法）
次に、本実施形態に係る電子機器に適用される表示装置の制御方法について説明する。ここでは、図１に示したような携帯型の電子機器１０をユーザが身体に装着又は携帯して、ランニングやウォーキング等の運動や日常生活を行った場合において、各種の情報を表示パネル４０に表示して提供する際の制御方法について説明する。ここで、以下に示す一連の処理動作は、演算回路部１００及び演算回路部２００において所定のアルゴリズムプログラムを実行することにより実現される。
【００３１】
図３は、本実施形態に係る表示装置の制御方法の一例を示すタイミングチャート、及び、各タイミングにおける表示パネルの画面表示の例を示す図である。ここでは、上述した電子機器の構成（図２参照）を適宜参照しながら説明する。また、図４は、本実施形態に係る表示装置における表示パネルの画面表示の他の例を示す図である。
【００３２】
本実施形態に係る表示装置の制御方法においては、まず、ユーザの身体に装着（又は携帯）された電子機器１０において、動作電源が投入されると電源部５００から駆動電力が供給されて、例えば図３下段のタイミングチャートの（ａ）に示すように、高機能表示を行う通常動作が実行される。この通常動作においては、演算回路部１００により生成された表示パネル４１０の１画面分の画像データが、インターフェースＩ／Ｆ（Ａ）を介して順次送信されてドライバ回路４２０のフレームメモリに保存される。フレームメモリに保存された画像データは、ドライバ回路４２０により所定のフレームレートで表示パネル４１０に出力されて、表示パネル４１０の表示領域全域に所定の高機能画像が表示される。ここで、高機能表示においては、例えば図３上段の画面表示の（ａ）に示すように、高機能画像４１２が表示される。また、このとき、演算回路部１００により、表示パネル４１０の背面側に設けられた光源部３００のバックライトが点灯状態に制御される。これにより、表示パネル４１０の背面側からバックライトの光が照射されることにより、表示パネル４１０に表示された高機能画像４１２がユーザの視野側に投影されて視認される。
【００３３】
次いで、上述した高機能表示において、図３下段のタイミングチャートの（ｂ）及び図３上段の画面表示の（ｂ）に示すように、例えば電子機器１０において実行されているアプリケーションや、ユーザによる入力操作（図３中では「ユーザ操作」と略記）により画像の切り替えが発生した場合には、演算回路部１００は、当該アプリケーションや入力操作に応じた所定の画像を表示する。ここで、ユーザによる入力操作とは、例えばユーザが入力操作部１２０のタッチパネルや入力操作部２２０のボタンスイッチ等を意識的に操作した場合や、静止状態（例えばテーブル上に静止して置いた状態）にある電子機器１０を持ち上げたり、特定の振動や衝撃、傾斜等を与えたりする動作に相当する。入力操作部１２０のタッチパネルにおける操作は、演算回路部１００により直接検出される。また、入力操作部２２０のボタンスイッチ等における操作は、演算回路部２００により検出されて、その検出結果が連携信号により演算回路部１００に送信される。また、電子機器１０を持ち上げたり、特定の振動や衝撃、傾斜等を与えたりする動作は、センサ部２１０の各種センサ（例えば加速度センサ等）からの出力が演算回路部２００により監視されて、その監視結果が連携信号により演算回路部１００に送信される。
【００３４】
この画像の切り替えタイミングにおいては、演算回路部１００は、アプリケーションや入力操作に応じた１画面分の画像データを生成して、インターフェースＩ／Ｆ（Ａ）を介してドライバ回路４２０のフレームメモリに書き込む。これにより、図３下段のタイミングチャートの（ｃ）に示すように、表示パネル４１０の表示領域全域に、アプリケーションや入力操作に応じた所定の画像が表示される、全体表示を行う通常動作が実行される。ここで、（ハイパワー、ハイパフォーマンスの）演算回路部１００により画像データを生成して表示パネル４１０に所定の画像を表示する制御を行っているので、表示パネル４１０に表示された画像が、上述した高機能画像４１２からアプリケーションや入力操作に応じた所定の画像に瞬時に切り替えられる。
【００３５】
演算回路部１００により切り替えられた後の画像が、例えば比較的画像データの容量が少ない画像や、画面表示の更新回数や変化の少ない画像（以下、便宜的に「簡易な画像」と総称する）である場合には、演算回路部１００は、動作状態の移行を通知する連携信号を、連携通信部１５０を介して演算回路部２００に送信する。これにより、演算回路部１００は、画像データを生成してドライバ回路４２０に書き込む動作を含む大半の機能を休止した状態に移行する。ここで、図３上段の画面表示の（ｃ）においては、簡易な画像４１４の例として、いわゆるデジタル時計表示に用いられる「１２：０５：０１」の時分秒の画像を示す。また、演算回路部１００の省電力状態への移行は、演算回路部１００又は演算回路部２００により、例えば電源部５００における演算回路部１００への駆動電力の供給を遮断又は抑制することにより実現される。ここで、省電力状態とは、必要最小限の構成要素にのみ電力を供給するように制御された状態のことであり、例えば電源制御と構成要素に関する公開された統一規格であるＡＣＰＩ（Advanced Configuration and Power Interface）で定めるスリーピングモードＳ０〜Ｓ５のうちＳ１やＳ３のスタンバイやスリープと呼ばれる状態のことである。なお、省電力状態は、スタンバイモード、スリープモード、休止状態等と呼ばれることがある。一方、演算回路部１００により切り替えられた後の画像が、高機能画像である場合や、表示パネル４１０の表示領域のうち、比較的広い領域が頻繁に更新や変化する画像である場合には、演算回路部１００は、演算回路部２００に対して連携信号を送信せず、高機能表示を行う通常動作を維持して省電力状態に移行しない。
【００３６】
そして、演算回路部１００から連携信号を受信した演算回路部２００は、表示パネル４１０の表示領域全域に表示された画像のうちの、継続して更新や変化を伴う特定画像が表示される特定領域について画像データを生成し、アドレスを指定してインターフェースＩ／Ｆ（Ｂ）を介してドライバ回路４２０のフレームメモリに順次書き込む。ここで、特定領域は、例えば表示パネル４１０の表示領域全域に比較して十分狭い表示領域に設定されている。これにより、図３下段のタイミングチャートの（ｄ）に示すように、フレームメモリに指定されたアドレスの画像データが上書きされて、表示パネル４１０の表示領域のうちの特定領域についてのみ画像が書き替えられる、領域表示を行う通常動作が継続して実行される。また、上述した演算回路部１００における全体表示よりドライバ回路４２０のフレームメモリに書き込まれた画像データは、上書きされた上記の特定領域の画像データ以外は、そのまま保持されているので、表示パネル４１０の表示領域のうちの特定領域を除く領域全域には、従前（全体表示の際）の画像が表示された状態が保持される。この領域表示は、表示パネル４１０に表示される画像が、表示パネル４１０の表示領域のうち、比較的広い領域の更新や変化を生じるまで継続する。具体的には、領域表示においては、例えば図３上段の画面表示の（ｄ）に示すように、図３上段の画面表示の（ｃ）に示した時分秒の簡易な画像４１４のうち、時分表示の領域については、ドライバ回路４２０のフレームメモリに書き込まれた画像データがそのまま保持されるため画像は変化しない。一方、時分秒の簡易な画像４１４のうち、１秒ごとに表示が変化する秒表示の領域（特定領域）４１６については、演算回路部２００により画像データを生成してドライバ回路４２０のフレームメモリに書き込むことにより、表示パネル４１０の秒表示を１秒ごとに「０１」→「０２」→・・・→「５９」の順に書き替える。
【００３７】
そして、表示パネル４１０に表示される画像が上記の特定領域４１６よりも広い領域の更新や変化を生じる場合、例えば図３上段の画面表示の（ｄ）において、秒表示に加え、１分ごとに表示が変化する時分表示に変化が生じる場合には、演算回路部２００は、動作状態の移行を通知する連携信号を、連携通信部２５０を介して演算回路部１００に送信する。これにより、演算回路部２００は、特定領域４１６の画像データを生成してドライバ回路４２０に書き込む動作を一時停止又は中断する。一方、演算回路部２００から連携信号を受信した演算回路部１００は、図３下段のタイミングチャートの（ｅ）に示すように、省電力状態から復帰して、時分秒表示を有する表示領域全域の画像データを生成してドライバ回路４２０に書き込む全体表示を行う。ここで、演算回路部１００の省電力状態から通常動作への復帰は、演算回路部１００又は演算回路部２００により、例えば電源部５００から演算回路部１００に駆動電力を供給又は回復させることにより実現される。すなわち、時分秒表示を有する簡易な画像４１４の秒表示が「５９」に到達した場合には、演算回路部２００は、次の秒表示「００」の画像データの生成、書込みを行わない。一方、演算回路部１００は、図３上段の画面表示の（ｅ）に示すように、秒表示に加え、時分表示を含む画像データを生成してドライバ回路４２０のフレームメモリに書き込むことにより、表示パネル４１０の表示領域全域に「１２：０６：００」の画像を表示する。このような表示パネル４１０における時分秒表示は、１分ごとに「１２：０６：００」→「１２：０７：００」→・・・のように順次書き替えられる。その後、演算回路部１００は、演算回路部２００に連携信号を送信して、再び省電力状態に移行する。すなわち、演算回路部１００は、理論上、５９秒間省電力状態に設定されることになる。演算回路部２００は、演算回路部１００から連携信号を受信することにより、図３下段のタイミングチャートの（ｆ）に示すように、上述した図３下段のタイミングチャートの（ｄ）と同様に、表示パネル４１０の表示領域のうち、秒表示を行う特定領域４１６についてのみ画像を書き替える領域表示を行う。
【００３８】
次いで、上述した領域表示において、図３下段のタイミングチャートの（ｇ）及び図３上段の画面表示の（ｇ）に示すように、例えば電子機器１０において実行されているアプリケーションや、ユーザによる入力操作により画像の切り替えが発生した場合には、演算回路部２００は、動作状態の移行を通知する連携信号を、連携通信部２５０を介して演算回路部１００に送信する。これにより、演算回路部２００は、特定領域４１６の画像データを生成してドライバ回路４２０に書き込む動作を停止又は中断する。一方、演算回路部２００から連携信号を受信した演算回路部１００は、図３下段のタイミングチャートの（ｈ）に示すように、省電力状態から復帰して、アプリケーションや入力操作に応じた画像データを生成して、ドライバ回路４２０のフレームメモリに書き込む。これにより、表示パネル４１０の表示領域全域に、アプリケーションや入力操作に応じた所定の画像を表示する全体表示が実行される。この場合においても、（ハイパワー、ハイパフォーマンスの）演算回路部１００により画像データを生成して表示パネル４１０に画像を表示する制御を行っているので、表示パネル４１０に表示された画像が、アプリケーションや入力操作に応じた所定の画像に瞬時に切り替えられる。
【００３９】
ここで、演算回路部１００により切り替えられた後の画像が、図３上段の画面表示の（ｈ）に示すように、高機能画像４１２である場合や、表示パネル４１０の表示領域のうち、比較的広い領域が頻繁に更新や変化する画像である場合には、演算回路部１００は、高機能表示を行う通常動作を継続して実行する。一方、演算回路部１００により切り替えられた後の画像が、簡易な画像である場合には、演算回路部１００は、演算回路部２００に対して連携信号を送信して、上述した図３下段のタイミングチャートの（ｄ）、（ｆ）と同様に、演算回路部２００により表示パネル４１０の表示領域のうち、特定領域４１６についてのみ画像を書き替える領域表示を行う。
【００４０】
本実施形態においては、上述した一連の処理動作が繰り返し実行される。ここで、演算回路部１００、２００は、上述した一連の処理動作の実行中、処理動作を中断又は終了させる入力操作や動作状態の変化を常時監視して、当該入力操作や状態変化を検出した場合には、処理動作を強制的に終了する。具体的には、演算回路部１００、２００は、ユーザによる動作電源の遮断（ＯＦＦ）操作や、電源部５００における電池残量の低下、実行中の機能やアプリケーションの異常等を検出して、一連の処理動作を強制的に中断して終了する。
【００４１】
また、上述した一連の処理動作において、演算回路部２００は、演算回路部１００が高機能表示を行っている状態や、省電力状態から通常動作に復帰した状態においては、少なくとも画像データを生成してドライバ回路４２０に書き込む動作を停止又は中断して、センサ部２１０におけるセンシング動作等を低消費電力で行う通常動作を実行する。
【００４２】
なお、本実施形態においては、画面表示の例として、表示パネル４１０に、いわゆるデジタル時計表示のような時分秒表示を含む簡易な画像４１４を表示し、秒表示を行う特定領域４１６について、演算回路部２００により画像データを生成して、表示パネル４１０の秒表示を順次書き替える場合（図３）について説明したが、本発明はこれに限るものではない。本発明に係る画面表示の他の例は、例えば図４（ａ）に示すように、表示パネル４１０に、アナログ時計表示のような時分秒針（Ｈｈ、Ｈｍ、Ｈｓ）からなる簡易な画像４１４を表示し、秒針Ｈｓを表示する特定領域４１６について、演算回路部２００により画像データを生成して、表示パネル４１０の秒表示を１秒ごとに書き替える。また、時針Ｈｈ及び分針Ｈｍの表示については、演算回路部１００により画像データを生成して、表示パネル４１０の表示領域全域を１分ごとに書き替えるようにしてもよい。この場合、特定領域４１６は、表示パネル４１０の表示領域に対して移動又は変化する領域となる。すなわち、特定領域４１６は、上述した実施形態に示したように、表示パネル４１０の表示領域内の固定された領域である必要はなく、位置が変化する領域であってもよい。
【００４３】
また、上述した実施形態（図３）に示したデジタル時計表示等の時分秒表示を含む画面表示や、図４（ａ）に示したアナログ時計表示等の時分秒針からなる画面表示の例においては、秒表示や秒針の表示のみを特定領域として、処理能力の低い演算回路部２００により表示を書き替える場合について説明したが、本発明はこれに限るものではない。すなわち、処理能力の低い演算回路部２００による表示の書き替えタイミングを僅かにずらすことにより、１秒ごとの秒表示の書き替え動作の合間に、時分表示についても処理能力の低い演算回路部２００により表示を書き替えるものであってもよい。これによれば、処理能力の高い演算回路部１００をより長い時間（例えば表示パネル４１０に時計表示が継続している期間）、省電力状態に設定しておくことができる。
【００４４】
また、本発明に係る画面表示のさらに他の例は、例えば図４（ｂ）、（ｃ）に示すように、まず、表示パネル４１０の表示領域全域に、演算回路部１００により生成した画像データに基づくカラー画像等の高機能画像４１２を表示する。そして、当該高機能画像４１２の画面表示の更新回数や変化の少ない状態では、表示パネル４１０の表示領域に比較して十分狭い領域であって、かつ、データ容量が少なく、継続して更新や変化を伴う（すなわち、更新頻度が高い）文字や図形、マーク等の特定画像が表示される特定領域４１６、４１８について、演算回路部２００により画像データを生成して画像を順次書き替えるものであってもよい。この場合においても、演算回路部１００によりドライバ回路４２０のフレームメモリに書き込まれた画像データに基づいて、特定領域４１６、４１８を除く表示パネル４１０の表示領域全域に、例えば地図画像や報知画像等の各種の高機能画像４１２を表示した状態が保持される。また、演算回路部２００により順次書き込まれた画像データに基づいて、上記の高機能画像４１２が表示されている表示パネル４１０の特定領域４１６、４１８に、例えば移動距離やペース等を示す文字、天気情報や動作状態等を示すマーク等の、継続して更新や変化を伴う各種の特定画像が書き替えられる。
【００４５】
また、本実施形態においては、演算回路部２００により画像が順次書き替えられる特定領域について、例えば時分秒表示における秒表示の領域のように、表示パネル４１０の表示領域全域に比較して十分狭い表示領域である場合について説明したが、本発明はこれに限定されるものではない。すなわち、特定領域は、ローパワー、ローパフォーマンスの演算回路部２００により生成した画像データを、データ転送速度の遅いインターフェースＩ／Ｆ（Ｂ）を介してドライバ回路４２０に書き込んで、表示パネル４１０に画像を表示した場合に、ユーザに当該画像の乱れや途切れを生じることなく良好に視認される程度の大きさの表示領域を有するものであればよい。したがって、特定領域に表示される画像（特定画像）のデータ容量が少ない場合や、画面表示の更新回数や変化が少ない場合には、特定領域を表示パネル４１０の表示領域に対して広く設定するものであってもよい。
【００４６】
（作用効果の検証）
次に、本実施形態に係る表示装置を備えた電子機器及びその制御方法における作用効果について、比較例を示して具体的に説明する。
図５は、本実施形態の作用効果を説明するための比較例を示す概略ブロック図であり、図６は、その制御方法を示すタイミングチャート、及び、画面表示の例を示す図である。ここでは、本実施形態と比較例との構成や制御方法の比較を明瞭にするために、本実施形態と同等の構成や制御方法については同等の符号を付して説明する。
【００４７】
比較例における表示装置は、例えば図５に示すように、大別して、演算回路部１００Ｐと、表示部４００Ｐと、を有し、表示部４００Ｐは透過型の表示パネル４１０Ｐと、フレームメモリを内蔵したドライバ回路４２０Ｐとを備えている。また、図示を省略するが、透過型の表示パネル４１０Ｐの背面側にはバックライト（光源部）が配置されている。このような表示装置においては、上述した本実施形態と同様に、アプリケーションや入力操作に応じて演算回路部１００Ｐにより生成された画像データを、ドライバ回路４２０のフレームメモリに書き込むことにより、表示パネル４１０の表示領域全域に所定の画像が表示される。そして、表示パネル４１０Ｐの背面側からバックライトの光を照射することにより、表示パネル４１０Ｐに表示された画像がユーザの視野側に投影されて視認される。
【００４８】
ここで、表示パネル４１０に、上述したような高精細なカラー画像や、滑らかな動画やアニメーション等の高機能画像を表示するためには、演算回路部１００Ｐとして、比較的処理能力が高く、かつ、消費電力の高い演算回路（ハイパワー、ハイパフォーマンスのプロセッサ）を適用する必要がある。加えて、演算回路部１００Ｐとドライバ回路４２０Ｐとを、例えばＭＩＰＩやパラレルインターフェース等の、データ転送速度が比較的速い規格に対応したインターフェースＩ／Ｆ（Ｐ）により接続する必要がある。
【００４９】
このような表示装置においては、例えば図６（ｃ）に示すように、表示パネル４１０Ｐに簡易な画像４１４を表示する場合であっても、継続して更新や変化を伴う画像（例えば図中の秒表示）を含んでいる場合には、演算回路部１００Ｐにより表示パネル４１０Ｐの表示領域全域の画像データを生成し、インターフェースＩ／Ｆ（Ｐ）を介してドライバ回路４２０Ｐに書き込む動作を続ける必要がある。そのため、演算回路部１００Ｐを省電力状態に移行させることができない。一方、例えば図６（ａ）や（ｅ）に示すように、表示パネル４１０Ｐに画面表示の更新回数や変化の少ない画像（例えば地図や運動支援画像）を一定期間表示する場合には、その画像が高機能画像４１２であっても、演算回路部１００Ｐにより生成され、ドライバ回路４２０Ｐに書き込まれた画像データがフレームメモリに保持されるため、当該画像の表示中は、次の画像データの生成要求があるまでは演算回路部１００Ｐを省電力状態に移行させることができる。なお、図６に示したタイミングと画面表示の例は、上述した本発明の実施形態と同様に、高機能画像４１２を表示している期間中に、ユーザによる入力操作等により時分秒表示を含む簡易な画像４１４に切り替わった場合の制御方法を説明するものである。
【００５０】
このように、比較例における表示装置においては、演算回路部１００Ｐ単体で表示部４００Ｐの表示状態を制御しているため、頻繁に更新や変化を伴う画像を表示する場合には、演算回路部１００Ｐにより頻繁に画像データを生成してドライバ回路４２０Ｐに書き込み続ける必要がある。そのため、演算回路部１００Ｐは、このような画像の表示中は省電力状態に移行することができず、演算回路部１００Ｐの消費電力を十分に削減することができない。また、表示パネル４１０Ｐに簡易な画像４１４を表示する場合であっても、（ハイパワー、ハイパフォーマンスの）演算回路部１００Ｐを使用する必要があるため、演算回路部１００Ｐの処理能力が余剰状態になり、演算回路部１００Ｐを有効に利用することができない。
【００５１】
これに対して、上述した本実施形態においては、処理能力の異なる２つの演算回路部１００、２００を備え、各々が個別のインターフェースＩ／Ｆ（Ａ）、Ｉ／Ｆ（Ｂ）を介して表示部４００のドライバ回路４２０に接続されている。また、ドライバ回路４２０は、フレームメモリを内蔵し、演算回路部１００、２００から個別に書き込まれる画像データを順次上書きするように構成されている。そして、表示パネル４１０に高機能画像４１２を表示する場合には、処理能力が高い演算回路部１００により画像データが生成されてインターフェースＩ／Ｆ（Ａ）を介してドライバ回路４２０に書き込まれる。一方、表示パネル４１０に簡易な画像４１４を表示する場合には、演算回路部１００及び演算回路部２００が連携して、表示パネル４１０の表示領域のうちの、継続して更新や変化を伴う（更新頻度が高い）特定画像、又は、データ容量が小さい特定画像が表示される特定領域４１６について、処理能力が低い演算回路部２００により画像データが生成されてインターフェースＩ／Ｆ（Ｂ）を介してドライバ回路４２０に順次書き込まれる。そして、この期間においては、演算回路部１００は省電力状態に移行して、その状態を維持する。
【００５２】
このように、本実施形態においては、高精細なカラー画像や、滑らかな動画やアニメーション表示等の高機能画像を、処理能力の高い演算回路部１００により良好に表示して、ユーザに各種の情報を良好に提供することができる。また、画像データの容量の少ない画像や、画面表示の更新回数や変化の少ない画像等の簡易な画像を、処理能力の低い演算回路部２００を連携させることにより良好に表示することができるとともに、処理能力の高い演算回路部１００を極力省電力状態に移行させることができる。したがって、本実施形態によれば、表示部４００における画像表示に係る処理負担が比較的小さい状態では、処理能力が高い演算回路部１００に替わって、処理能力は低いが常時動作を継続している演算回路部２００により機能の一部を実行して、演算回路部１００が省電力状態に設定されている期間を極力長くすることができるので、演算回路部１００における消費電力を削減することができ、電子機器の駆動時間を改善することができる。
【００５３】
＜第２の実施形態＞
次に、本発明に係る表示装置を備えた電子機器の第２の実施形態について、図面を参照して詳しく説明する。
図７は、本発明に係る表示装置を備えた電子機器の第２の実施形態を示す概略ブロック図である。ここで、上述した第１の実施形態と同等の構成については、同等の符号を付してその説明を簡略化する。図８は、本実施形態に係る表示装置における画面表示の例を示す図である。
【００５４】
第１の実施形態においては、表示部４００に表示パネル４１０が１個のみ設けられ、複数のインターフェースを有するドライバ回路４２０に接続された演算回路部１００及び演算回路部２００により表示パネル４１０の表示状態を制御する構成について説明した。第２の実施形態においては、表示部４００に表示パネルが複数（ここでは２個）設けられ、演算回路部１００により第１の表示パネルの表示状態を制御し、演算回路部２００により第２の表示パネルの表示状態を制御する表示パターンと、演算回路部１００及び演算回路部２００により第１の表示パネルの表示状態を制御する表示パターンとを有していることを特徴としている。
【００５５】
第２の実施形態に係る電子機器１０は、例えば図７に示すように、概略、処理能力が異なる２組の演算回路部１００及び演算回路部２００と、２組の表示パネル（第１の表示パネル）４１０及び表示パネル（第２の表示パネル）４３０を備えた表示部４００とを有している。ここで、本実施形態において、図７に示した他の構成については、上述した第１の実施形態と同等であるのでその説明を省略する。
【００５６】
表示部４００は、表示パネル４１０に画像を表示するためのフレームメモリを内蔵したドライバ回路４２０と、表示パネル４３０に画像を表示するためのフレームメモリを内蔵したドライバ回路４４０が設けられている。ここで、表示パネル４１０とドライバ回路４２０は、第１の実施形態と同様の構成及び機能を有し、ドライバ回路４２０が、それぞれ、データ転送速度が異なるインターフェースＩ／Ｆ（Ａ）、Ｉ／Ｆ（Ｂ）を介して、演算回路部１００及び演算回路部２００に接続されている。すなわち、表示パネル４１０は、演算回路部１００及び演算回路部２００により生成される画像データに基づいて所定の画像が表示される。また、ドライバ回路４４０は、例えばＳＰＩ等のデータ転送速度が比較的遅い規格に対応したインターフェースＩ／Ｆ（Ｃ）を介して、演算回路部２００に接続されている。すなわち、表示パネル４３０は、演算回路部２００により生成される画像データに基づいて所定の画像が表示される。なお、演算回路部２００により生成される画像データは、表示部４００における表示パターンに応じて、ドライバ回路４２０又はドライバ回路４４０のいずれか一方に選択的に書込みが行われるように制御される。
【００５７】
また、本実施形態において、表示パネル４１０、４３０は、少なくともいずれか一方に透過型の表示パネルが適用され、透過型の表示パネルの背面側には、光源部３００のバックライトが配置されている。ここで、表示パネル４１０、４３０は、ユーザの視野側から見て、平面的に重なることなく並列的に、又は、独立して配置された構成を有するものであってもよい。また、表示パネル４１０、４３０がいずれも透過型の表示パネルである場合には、例えば平面的に重なるように配置され、最背面側にバックライトが配置された構成を有しているものであってもよい。
【００５８】
表示パネル４１０の表示状態を制御する演算回路部１００は、上述した第１の実施形態に示したように、比較的処理能力が高い演算回路（ハイパワー、ハイパフォーマンスのプロセッサ）が適用される。これにより、表示パネル４１０は、高機能な表示を実現できる表示パネルを適用することができる。具体的には、表示パネル４１０として、上述した第１の実施形態と同様に、例えば透過型のＴＦＴカラー液晶パネル等を適用することができる。
【００５９】
一方、表示パネル４１０又は表示パネル４３０の表示状態を制御する演算回路部２００は、上述した第１の実施形態に示したように、比較的処理能力が低い演算回路（ローパワー、ローパフォーマンスのプロセッサ）が適用される。ここで、演算回路部２００は、表示部４００における表示パターンに応じて、表示パネル４１０又は表示パネル４３０のいずれか一方の表示状態を選択的に制御する。これにより、表示パネル４３０は、比較的低消費電力で表示駆動することができる表示パネルや、低消費電力で表示することができる画面表示が適用される。具体的には、表示パネル４３０として、例えば高反射で屋外視認性に優れるＰＮ（Polymer Network）型やＰＤ（Polymer Dispersed）型の液晶パネル、電子ペーパーに用いられる表示パネル等を良好に適用することができる。あるいは、表示パネル４３０には、低消費電力で表示駆動することができる、時計表示や簡易な図形表示、静止画や画面表示の更新回数や変化が少ない画像等が表示される。後者の場合には、表示パネル４３０は、ＰＮ型やＰＤ型の液晶パネル、電子ペーパー等に限定されるものではなく、表示パネル４１０と同様に、ＴＦＴカラー液晶パネル等を適用するものであってもよい。
【００６０】
このような構成を有する表示装置においては、演算回路部１００により表示パネル４１０に高機能な表示を行い、演算回路部２００により表示パネル４３０に簡易な表示を行う第１の表示パターンと、上述した第１の実施形態に示したように、演算回路部１００及び演算回路部２００により表示パネル４１０に簡易な画像を表示する際に低消費電力で表示を行う第２の表示パターンとが選択的に実行されるように制御される。そして、このような表示部４００における表示パターンの制御においては、演算回路部１００と演算回路部２００とが、連携通信部１５０、２５０を介して連携信号を送受信することにより相互に連携かつ同期して、各表示パネル４１０、４２０の表示状態に応じて、演算回路部１００及び演算回路部２００により生成する画像データや、当該画像データの書込み先が決定される。すなわち、第１の表示パターンにおいては、演算回路部１００により生成された画像データがインターフェースＩ／Ｆ（Ａ）を介してドライバ回路４２０に書き込まれ、演算回路部２００により生成された画像データがインターフェースＩ／Ｆ（Ｃ）を介してドライバ回路４４０に書き込まれる。一方、第１の表示パターンにおいては、演算回路部１００により生成された画像データがインターフェースＩ／Ｆ（Ａ）を介してドライバ回路４２０に書き込まれ、演算回路部２００により生成された画像データがインターフェースＩ／Ｆ（Ｂ）を介してドライバ回路４２０に書き込まれる。ここで、ドライバ回路４２０は、演算回路部１００及び演算回路部２００から送信される画像データがフレームメモリに順次上書き保存される。
【００６１】
これにより、第１の表示パターンにおいては、例えば図８（ａ）〜（ｃ）に示すような表示状態が実現され、第２の表示パターンにおいては、例えば図８（ｄ）に示すような表示状態が実現される。なお、図８においては、表示パネル４１０及び表示パネル４３０がいずれも透過型の表示パネルであって、表示パネル４３０がユーザの視野側に、表示パネル４１０が背面側に配置されて平面的に重なるように構成されている場合の画面表示を概念的に示す。
【００６２】
図８（ａ）に示す表示状態においては、演算回路部１００により表示パネル４１０には何も表示されないように制御され（図８（ａ）下段）、演算回路部２００により生成された画像データに基づいて、表示パネル４３０に簡易な画像４１４が表示される（図８（ａ）中段）。このような表示状態においては、図８（ａ）上段に示すように、視野側に配置された表示パネル４３０に表示された簡易な画像４１４がユーザに直接視認される。また、この表示状態においては、演算回路部２００により低消費電力で表示パネル４３０の表示状態を制御することができるとともに、演算回路部１００を省電力状態に設定することができるので、電子機器１０の消費電力を大幅に抑制することができる。
【００６３】
また、図８（ｂ）に示す表示状態においては、演算回路部１００により生成された画像データに基づいて、表示パネル４１０にカラー画像等の高機能画像４１２が表示され（図８（ｂ）下段）、演算回路部２００により表示パネル４３０には何も表示されない（実際には全透過状態に設定される）ように制御される（図８（ｂ）中段）。このような表示状態においては、図８（ｂ）上段に示すように、背面側に配置された表示パネル４１０に表示された高機能画像４１２が、表示パネル４３０を透過してユーザに視認される。また、この表示状態においては、演算回路部２００により画像データを生成してドライバ回路４４０に書き込む動作を停止又は中断することができるので、演算回路部２００を低消費電力で動作させることができるとともに、表示パネル４３０及びドライバ回路４４０における消費電力を抑制することができ、電子機器１０の消費電力を抑制することができる。
【００６４】
また、図８（ｃ）に示す表示状態においては、演算回路部１００により生成された画像データに基づいて、表示パネル４１０にカラー画像等の高機能画像４１２が表示され（図８（ｃ）下段）、演算回路部２００により生成された画像データに基づいて、表示パネル４３０に簡易な画像４１４が表示される（図８（ｃ）中段）。このような表示状態においては、図８（ｃ）上段に示すように、表示パネル４１０に表示された高機能画像４１２が、表示パネル４３０を透過する際に、表示パネル４３０に表示された簡易な画像４１４と合成されて（又は重ね合わされて）多様な表示形態の画像がユーザに視認される。
【００６５】
また、図８（ｄ）に示す表示状態においては、演算回路部１００により生成された画像データに基づいて、表示パネル４１０の表示領域の全域にカラー画像等の高機能画像４１２が表示され、演算回路部２００により生成された画像データに基づいて、表示パネル４１０の表示領域のうちの特定領域４１６、４１８に、継続して更新や変化を伴う文字や図形、マーク等の特定画像が表示される（図８（ｄ）下段）。すなわち、表示パネル４１０には、上述した第１の実施形態と同様に、特定画像を含む所定の画像が表示される。また、演算回路部２００により表示パネル４３０には何も表示されない（実際には全透過状態に設定される）ように制御される（図８（ｄ）中段）。このような表示状態においては、図８（ｄ）上段に示すように、背面側に配置された表示パネル４１０に表示された特定画像を含む高機能画像４１２が、表示パネル４３０を透過してユーザに視認される。また、この表示状態においては、１個の表示パネル４１０のみで、図８（ｃ）に示した合成画像と同等の多様な表示形態の画像を表示することができるとともに、演算回路部２００により特定画像を表示している期間中は演算回路部１００を省電力状態に設定することができるので、電子機器１０の消費電力を大幅に抑制することができる。
【００６６】
このように、本実施形態においては、２個の表示パネル４１０、４３０を備えることにより、より多様な表示形態の画像を表示して、ユーザに各種の情報を良好に提供することができる。また、上述した第１の実施形態と同様に、表示部４００における画像表示に係る処理負担が比較的小さい状態では、処理能力が高い演算回路部１００に替わって、処理能力は低いが常時動作を継続している演算回路部２００により機能の一部を実行して、演算回路部１００を省電力状態に移行させることができる。これにより、演算回路部１００における省電力状態の期間を極力長くすることができるので、演算回路部１００における消費電力を削減することができ、電子機器の駆動時間を改善することができる。
【００６７】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００６８】
（付記）
［１］
第１の演算処理回路と、
第２の演算処理回路と、
フレームメモリを備え、前記第１の演算処理回路により生成される第１の画像データ、及び、前記第２の演算処理回路により生成される第２の画像データが前記フレームメモリに上書き保存されるドライバ回路と、
前記フレームメモリに保存された前記第１の画像データ及び前記第２の画像データに基づいて、所定の画像が表示される第１の表示パネルと、を有し、
前記第１の演算処理回路及び前記第２の演算処理回路は相互に連携して、前記第１の画像データ及び前記第２の画像データを前記フレームメモリに順次上書き保存するとともに、前記第１の表示パネルに前記第２の画像データに基づく画像が表示されている場合には、前記第１の演算処理回路を省電力状態に設定することを特徴とする表示装置。
【００６９】
［２］
前記ドライバ回路は、前記第１の画像データに基づく第１の画像を表示する前記第１の表示パネルの表示領域よりも狭い領域に前記第２の画像データに基づく第２の画像を表示することを特徴とする［１］に記載の表示装置。
【００７０】
［３］
前記第２の画像は、前記第１の画像よりも更新頻度が高い又は画像データの容量が小さい画像であることを特徴とする［２］に記載の表示装置。
【００７１】
［４］
前記第２の演算処理回路により表示状態が制御される第２の表示パネルをさらに有し、
前記第２の演算処理回路は、前記第１の表示パネル及び前記第２の表示パネルの表示状態を選択的に制御することを特徴とする［１］乃至［３］のいずれかに記載の表示装置。
【００７２】
［５］
前記第２の演算処理回路は、前記第１の演算処理回路よりも動作周波数が低いことを特徴とする［１］乃至［４］のいずれかに記載の表示装置。
【００７３】
［６］
前記第２の演算処理回路は、前記第１の演算処理回路よりも同一条件で動作させた場合の消費電力が低いことを特徴とする［１］乃至［４］のいずれかに記載の表示装置。
【００７４】
［７］
第１の演算処理回路と、
第２の演算処理回路と、
フレームメモリを備え、前記第１の演算処理回路により生成される第１の画像データ、及び、前記第２の演算処理回路により生成される第２の画像データが前記フレームメモリに上書き保存されるドライバ回路と、
前記フレームメモリに保存された前記第１の画像データ及び前記第２の画像データに基づいて、所定の画像が表示される第１の表示パネルと、
利用者の入力操作に関連する信号を検出する検出部と、を有し、
前記第１の演算処理回路及び前記第２の演算処理回路は、前記第１の表示パネルにおける前記画像の表示状態、又は、前記利用者による入力操作の有無に応じて、相互に連携して、前記第１の画像データ及び前記第２の画像データを前記フレームメモリに順次上書き保存するとともに、前記第１の表示パネルに前記第２の画像データに基づく画像が表示されている場合には、前記第１の演算処理回路を省電力状態に設定することを特徴とする電子機器。
【００７５】
［８］
前記第２の演算処理回路により表示状態が制御される第２の表示パネルをさらに有し、
前記第２の演算処理回路は、前記第１の表示パネル及び前記第２の表示パネルの表示状態を選択的に制御することを特徴とする［７］に記載の電子機器。
【００７６】
［９］
前記第２の演算処理回路は、前記第１の演算処理回路よりも動作周波数が低いことを特徴とする［７］又は［８］に記載の電子機器。
【００７７】
［１０］
前記第２の演算処理回路は、前記第１の演算処理回路よりも同一条件で動作させた場合の消費電力が低いことを特徴とする［７］又は［８］に記載の電子機器。
【００７８】
［１１］
第１の演算処理回路と、第２の演算処理回路と、フレームメモリを備え、前記第１の演算処理回路又は前記第２の演算処理回路により生成される画像データが前記フレームメモリに上書き保存されるドライバ回路と、前記フレームメモリに保存された前記画像データに基づいて、所定の画像が表示される第１の表示パネルと、を有し、
前記第１の演算処理回路及び前記第２の演算処理回路を相互に連携させて、前記第１の画像データ及び前記第２の画像データを前記フレームメモリに順次上書き保存し、
前記第２の演算処理回路により生成される前記第２の画像データに基づいて、前記第１の表示パネルの前記第１の画像データに基づく第１の画像が表示されている領域よりも狭い領域に第２の画像を表示し、
前記第１の表示パネルに前記第２の画像が表示されている場合には、前記第１の演算処理回路を省電力状態に設定することを特徴とする表示装置の制御方法。
【００７９】
［１２］
前記第２の演算処理回路により表示状態が制御される第２の表示パネルをさらに有し、
前記第２の演算処理回路により前記第１の表示パネル及び前記第２の表示パネルの表示状態を選択的に制御することを特徴とする［１１］に記載の表示装置の制御方法。
【００８０】
［１３］
第１の演算処理回路と、第２の演算処理回路と、フレームメモリを備え、前記第１の演算処理回路又は前記第２の演算処理回路により生成される画像データが前記フレームメモリに上書き保存されるドライバ回路と、前記フレームメモリに保存された前記画像データに基づいて、所定の画像が表示される第１の表示パネルと、を有し、
前記第１の演算処理回路及び前記第２の演算処理回路を備えるコンピュータに、
前記第１の演算処理回路及び前記第２の演算処理回路を相互に連携させて、前記第１の画像データ及び前記第２の画像データを前記フレームメモリに順次上書き保存させ、
前記第２の演算処理回路により生成される前記第２の画像データに基づいて、前記第１の表示パネルの前記第１の画像データに基づく第１の画像が表示されている領域よりも狭い領域に第２の画像を表示させ、
前記第１の表示パネルに前記第２の画像が表示されている場合には、前記第１の演算処理回路を省電力状態に設定させることを特徴とする表示装置の制御プログラム。
【００８１】
［１４］
前記第２の演算処理回路により表示状態が制御される第２の表示パネルをさらに有し、
前記第２の演算処理回路により前記第１の表示パネル及び前記第２の表示パネルの表示状態を選択的に制御させることを特徴とする［１３］に記載の表示装置の制御プログラム。
【符号の説明】
【００８２】
１０      電子機器
４０      表示パネル
１００、２００    演算回路部
１２０、２２０    入力操作部
１４０、２４０    メモリ部
１５０、２５０    連携通信部
２１０    センサ部
３００    光源部
４００    表示部
４１０、４３０    表示パネル
４１２    高機能画像
４１４    簡易な画像
４１６、４１８    特定領域
４２０、４４０    ドライバ回路
５００    電源部
Ｉ／Ｆ（Ａ）〜Ｉ／Ｆ（Ｃ）    インターフェース
【図１】
2020101834.tif 000003
【図２】
2020101834.tif 000004
【図３】
2020101834.tif 000005
【図４】
2020101834.tif 000006
【図５】
2020101834.tif 000007
【図６】
2020101834.tif 000008
【図７】
2020101834.tif 000009
【図８】
2020101834.tif 000010
【手続補正書】
【提出日】令和2年4月3日(2020.4.3)
【手続補正１】
【補正対象書類名】明細書
【補正対象項目名】０００８
【補正方法】変更
【補正の内容】
【０００８】
本発明の一態様は、
表示部と、
前記表示部に表示される表示内容に係るデータを前記表示部へ送信する第１の演算処理部と、
前記第１の演算処理部よりも処理能力が低く、前記表示部に表示される表示内容に係るデータを前記表示部へ送信する第２の演算処理部と、
前記第２演算処理部に設けられ、外部機器からデータを受信する第２通信インターフェース部と、
前記第１演算処理部に設けられ、前記第２通信インターフェース部による通信と比べて高速で前記外部機器からデータを受信することが可能な第１通信インターフェース部と、
前記第１演算処理部と前記第２演算処理部とを連携させて前記表示部に前記表示内容を表示する連携通信部と
を有することを特徴とする表示装置である。
【手続補正２】
【補正対象書類名】特許請求の範囲
【補正対象項目名】全文
【補正方法】変更
【補正の内容】
【特許請求の範囲】
【請求項１】
表示部と、
前記表示部に表示される表示内容に係るデータを前記表示部へ送信する第１の演算処理部と、
前記第１の演算処理部よりも処理能力が低く、前記表示部に表示される表示内容に係るデータを前記表示部へ送信する第２の演算処理部と、
前記第２演算処理部に設けられ、外部機器からデータを受信する第２通信インターフェース部と、
前記第１演算処理部に設けられ、前記第２通信インターフェース部による通信と比べて高速で前記外部機器からデータを受信することが可能な第１通信インターフェース部と、
前記第１演算処理部と前記第２演算処理部とを連携させて前記表示部に前記表示内容を表示する連携通信部と
を有することを特徴とする表示装置。
【請求項２】
前記第１演算処理部の前記第１通信インターフェース部は、前記第２演算処理部の前記第２通信インターフェース部による通信と比べて大きな容量のデータを受信することが可能である、
ことを特徴とする請求項１に記載の表示装置。
【請求項３】
前記第１通信インターフェース部による通信可能な距離範囲は、前記第２通信インターフェース部により通信可能な距離範囲よりも広い、
ことを特徴とする請求項１又は２に記載の表示装置。
【請求項４】
前記第１通信インターフェース部による通信方式は、ブルートゥース（Bluetooth（登録商標））通信又はワイファイ（Wi-Fi；wireless fidelity（登録商標））通信であり、前記第２通信インターフェース部による通信方式は、ブルートゥースローエナジー（Bluetooth（登録商標） low energy）通信である、
ことを特徴とする請求項１乃至３の何れか１項に記載の表示装置。
【請求項５】
表示部と、
前記表示部に表示される表示内容に係るデータを前記表示部へ送信する第１の演算処理部と、
前記第１の演算処理部よりも処理能力が低く、前記表示部に表示される表示内容に係るデータを前記表示部へ送信する第２の演算処理部と、
を有する表示装置を制御する表示制御方法であって、
前記第２演算処理部に設けられた第２通信インターフェース部により外部機器からデータを受信するステップと、
前記第１演算処理部に設けられ、前記第２通信インターフェース部による通信と比べて高速で前記外部機器からデータを受信することが可能な第１通信インターフェースにより前記外部機器からデータを受信するステップと、
前記第１演算処理部と前記第２演算処理部とを連携させて前記表示部に前記表示内容を表示するステップと
を有することを特徴とする表示制御方法。
【請求項６】
表示部と、
前記表示部に表示される表示内容に係るデータを前記表示部へ送信する第１の演算処理部と、
前記第１の演算処理部よりも処理能力が低く、前記表示部に表示される表示内容に係るデータを前記表示部へ送信する第２の演算処理部と、
を有するコンピュータに、
前記第２演算処理部に設けられた第２通信インターフェース部により外部機器からデータを受信させ、
前記第１演算処理部に設けられ、前記第２通信インターフェース部による通信と比べて高速で前記外部機器からデータを受信することが可能な第１通信インターフェースにより前記外部機器からデータを受信させ、
前記第１演算処理部と前記第２演算処理部とを連携させて前記表示部に前記表示内容を表示させる、
ように機能させる制御プログラム。